(57)【特許請求の範囲】
【請求項１】
建物の内側から躯体部、断熱材、通気層および外装材の順に構成される外断熱壁を貫通して設置される外断熱用スリーブにおいて、上記躯体部に挿設される実管スリーブと、該実管スリーブに部分的にオーバーラップするように上記断熱材側から内挿されるジョイントスリーブと、該ジョイントスリーブに部分的にオーバーラップするように上記通気層および外装材側から外挿されると共に、該外装材の外壁仕上面からの位置を調整されて上記ジョイントスリーブに固定されるスライドスリーブから構成されることを特徴とする外断熱用スリーブ。
【請求項２】
上記実管スリーブと上記ジョイントスリーブ間および／または該ジョイントスリーブと上記スライドスリーブ間のオーバーラップ部分の接合面には、ゴムリングから成る差込リングが介挿されることを特徴とする請求項１に記載の外断熱用スリーブ。
【請求項３】
上記躯体部の外面と、上記ジョイントスリーブの外面にわたり防水材の層を設置することを特徴とする請求項１または２に記載の外断熱用スリーブ。
【請求項４】
上記スライドスリーブおよび／または上記ジョイントスリーブの外面に伸縮可能な断熱リングを設置したことを特徴とする請求項３に記載の外断熱用スリーブ。
【請求項５】
上記断熱材および外装材と通気層の接続部の上記スライドスリーブ外面にそれぞれ止水板を設置したことを特徴とする請求項１、２、３または４に記載の外断熱用スリーブ。
【発明の詳細な説明】
【技術分野】
【０００１】
本発明は、外断熱壁から成る建物における、設備ダクトや配管を通すための外断熱用スリーブに関する。
【背景技術】
【０００２】
従来の外断熱用スリーブとしては、図３に示すように、躯体部Ｋに挿設した実管スリーブＪに、断熱材Ｄ、通気層Ｔおよび外装材Ｇを貫通して短管スリーブＳを差し込みながら、現場の布設箇所ごとに、長さを測って切断処理をしていた。
【０００３】
また従来、離脱防止用の内リブを有する外スリーブの内側に、離脱防止用の外リブを有する内スリーブを挿設して、全体として伸縮調整可能とした建築工事用スライドスリーブがあった。（例えば、特許文献１参照）
【０００４】
しかしながら、図３に示す上記従来スリーブは、短管スリーブＳの位置と外装材Ｇの開口位置合わせが難しく、施工性が悪い等の問題点があった。
また、上記特許文献１のスライドスリーブは、外スリーブが離脱防止用の内リブを有するため、内スリーブの外径が外スリーブの内径より、かなり小さくなってしまうだけでなく、両スリーブ間の気密防水機能が十分に確保できない等の問題点があった。
【特許文献１】特開平９−１０５２２６号公報
【発明の開示】
【発明が解決しようとする課題】
【０００５】
本発明が解決しようとする課題は、長さ調整が容易で施工性に優れ、気密防水機能を十分に発揮することができる外断熱用スリーブを提供することにある。
【課題を解決するための手段】
【０００６】
本発明の外断熱用スリーブは、建物の内側から躯体部、断熱材、通気層および外装材の順に構成される外断熱壁を貫通して設置される外断熱用スリーブにおいて、上記躯体部に挿設される実管スリーブと、該実管スリーブに部分的にオーバーラップするように上記断熱材側から内挿されるジョイントスリーブと、該ジョイントスリーブに部分的にオーバーラップするように上記通気層および外装材側から外挿されると共に、該外装材の外壁仕上面からの位置を調整されて上記ジョイントスリーブに固定されるスライドスリーブから構成されることを特徴とする。また、上記実管スリーブと上記ジョイントスリーブ間および／または該ジョイントスリーブと上記スライドスリーブ間のオーバーラップ部分の接合面には、ゴムリングから成る差込リングが介挿されることを特徴とする。さらに、上記躯体部の外面と、上記ジョイントスリーブの外面にわたり防水材の層を設置することを特徴とする。又更に、上記スライドスリーブおよび／または上記ジョイントスリーブの外面に伸縮可能な断熱リングを設置したことを特徴とする。更に又、上記断熱材および外装材と通気層の接続部の上記スライドスリーブ外面にそれぞれ止水板を設置したことも特徴とするものである。
【発明の効果】
【０００７】
本発明の外断熱用スリーブは、下記のような利点がある。
１）スライドスリーブが、外装材の外壁仕上面からの位置を調整されて上記ジョイントスリーブに固定されるので、現場施工に合わせてスリーブの長さ調整が容易かつ確実となり施工性に優れる。
２）実管スリーブとジョイントスリーブ間および／またはジョイントスリーブとスライドスリーブ間の接合面に、二重のゴムリングから成る差込リングを介挿して気密構造とすることにより、漏気がなく、止水性能も良い。施工性がよくて低コストとなる。
３）止水板を外側から容易に取り換えることができ、断熱層間の止水対策や最終仕上げ面での止水対策が可能となるだけでなく、外壁面からの浸水に対して断熱材を保護することができる。
４）伸縮可能な断熱リングをスライドスリーブおよび／またはジョイントスリーブの外面に設置することにより、熱橋の影響の少ない保温機構を実現することができる。
【発明を実施するための最良の形態】
【０００８】
図１は、本発明の外断熱用スリーブの一実施例を示すもので、外断熱壁Ｗを貫通して設けられる。該外断熱壁Ｗは、建物の内側から躯体部１、断熱材２、通気層３および外装材４の順に構成される。上記躯体部１は、全ＰＣａ造壁、半ＰＣａ造壁、現場打ちコンクリート壁のいずれでもよい。
【０００９】
上記断熱材２は、グラスウール、ロックウール、発泡プラスチックなど吸湿しても劣化しないものが好ましい。上記通気層３は、外装材４の熱を外部に排出して温度上昇を緩和させたり、雨水等が上記外装材４と断熱材２の間に進入した場合に、外部に水蒸気として排出する機能を発揮する。
【００１０】
上記外装材４は、本実施例では、タイル下地ボード４ｂと外壁タイル面４ａから構成されているが、これに限定するものではなく、公知の外断熱壁用の外装材であればいずれでもよい。
【００１１】
上記外断熱壁Ｗの躯体部１には、スリーブ取付用孔が開設され、これに実管スリーブ５が挿設される。該実管スリーブ５の挿設方法としては、躯体部１を製造する際に、これを予め型枠に取り付けておいて、コンクリートの打設と同時に一体的に取り付ける。
【００１２】
上記実管スリーブ５には、ジョイントスリーブ６が部分的にオーバーラップして内挿される。該ジョイントスリーブ６と上記実管スリーブ５の上記オーバーラップ部分の接合面には、二重のゴムリングから成る差込リング７が介挿され（図１のイ部分）、気密処理がなされている。図２（Ａ）に拡大して示すように、該差込リング７は、上記実管スリーブ５に取り付け固定されているリング部材７ａと、上記ジョイントスリーブ６に取り付け固定されているリング部材７ｂから構成されている。
【００１３】
８はスライドスリーブであって、上記実管スリーブ５から露出している部分のジョイントスリーブ６に部分的にオーバーラップして外挿される。該スライドスリーブ８は上記断熱材２を貫通して挿設される。断熱材２は、スライドスリーブ８およびジョイントスリーブ６の開口に合わせて切断する。
【００１４】
上記断熱材２の外方には、上記外装材４が取り付けられる。該外装材４は、支持金物９を介して、上記躯体部１に取り付け固定される。該外装材４と上記断熱材２の間には通気層３が形成される。
【００１５】
上記スライドスリーブ８は、その外端部が上記外装材４の外壁タイル面４ａと一致するように、上記ジョイントスリーブ６へ差し込み位置が調整される。スライドスリーブ８は、その取付位置が決まると、ロックボルト１０により、上記ジョイントスリーブ６に固定される。
【００１６】
上記ジョイントスリーブ６と上記スライドスリーブ８の接合面には、二重のゴムリングから成る差込リング１１が介挿され（図１のロ部分）、気密処理がなされる。図２（Ｂ）に拡大して示すように、該差込リング１１は、上記ジョイントスリーブ６に取り付け固定されているリング部材１１ａと、上記スライドスリーブ８に取り付け固定されているリング部材１１ｂから構成されている。
【００１７】
１２は例えば塗布防水などの防水材の層であって、上記断熱材２を敷き込む前に、上記躯体部１の外面に上記ジョイントスリーブ６にわたるように設置され、防水処理を行う。１３はジョイントスリーブ６と上記防水処理層との隙間を塞ぐ押さえ材である。１４は伸縮可能な断熱リングであって、熱橋の影響の少ない保温機構を保つことができる。なお、上記押さえ材１３は、後工程で１４断熱リングを取り付ける際に、上記防水処理層を損傷や亀裂から守る保護材でもある。１５は止水板であって、上記断熱材２を挟み込むように断熱材２と通気層３の接続部に設置して、防水処理を行う。
【００１８】
実管スリーブ、ジョイントスリーブ、スライドスリーブは、丸型に限らず、角型、長方形型等、各種用途に合わせた汎用性がある。
【産業上の利用可能性】
【００１９】
１）外断熱通気工法の外壁面換気ダクトの施工部位へのスリーブ材としての利用。
２）外断熱通気工法の給排気口等の丸型や角型のガラリ等の施工部位へのスリーブ材としての利用。
【図面の簡単な説明】
【００２０】
【図１】本発明の一実施例を示す断面図である。
【図２】図１の差込リングの拡大説明図である。
【図３】従来の建築工事用スライドスリーブを示す断面図である。
【符号の説明】
【００２１】
１    躯体部
２    断熱材
３    通気層
４    外装材
４ａ  外壁タイル面
４ｂ  タイル下地ボード
５    実管スリーブ
６    ジョイントスリーブ
７    差込リング
７ａ、７ｂ  リング部材
８    スライドスリーブ
９    支持金物
１０  ロックボルト
１１  差込リング
１１ａ、１１ｂ  リング部材
１２  防水材の層
１３  押さえ材
１４  断熱リング
１５  止水板
Ｗ    外断熱壁
【図１】
0004840767.tif 000002
【図２】
0004840767.tif 000003
【図３】
0004840767.tif 000004